(57)【特許請求の範囲】
【請求項１】
要求目標物に対して提出した地図検索要求を取得するステップと、
前記地図検索要求に応じて、前記要求目標物に対応する少なくとも一つの地図要素を取得するステップと、
空の独立レイヤを作成し、前記独立レイヤに前記地図要素を追加するステップと、
電子地図表示インターフェースにおいて、ユーザに前記独立レイヤを電子地図のほかのレイヤと重ね合わせるように表示するステップと
を含むことを特徴とする地図情報の表示方法。
【請求項２】
ユーザが要求目標物に対して提出した地図検索要求を取得するステップにおいては、
ユーザが要求目標物に対応する文字検索語を入力したり、要求目標物のＱＲコードをスキャンしたりすること、又は第三者がアプリケーションプログラム・インターフェースを呼び出すことによってトリガーされた、前記要求目標物に対する地図検索要求を取得するステップを含むことを特徴とする請求項１に記載の方法。
【請求項３】
空の独立レイヤを作成し、前記独立レイヤに前記地図要素を追加した後に、さらに
前記要求目標物に関連する少なくとも一つの関連地図要素を取得するステップと、
前記独立レイヤに前記関連地図要素を追加するステップと
を含むことを特徴とする請求項１に記載の方法。
【請求項４】
電子地図のほかのレイヤにおいて前記要求目標物に関連する関連地図要素を区別して表示するステップをさらに含むことを特徴とする請求項１に記載の方法。
【請求項５】
電子地図表示インターフェースにおいて、ユーザに前記独立レイヤを電子地図のほかのレイヤと重ね合わせるように表示した後に、ほかのレイヤにおける地図要素を低い強度で表示するステップをさらに含むことを特徴とする請求項１〜４のいずれか一項に記載の方法。
【請求項６】
電子地図表示インターフェースにおいて、ユーザに前記独立レイヤを電子地図のほかのレイヤと重ね合わせるように表示した後に、前記要求目標物のプロパティタイプに応じて、電子地図のほかのレイヤの表示スタイルを変更するステップをさらに含むことを特徴とする請求項１〜４のいずれか一項に記載の方法。
【請求項７】
電子地図表示インターフェースにおいて、ユーザに前記独立レイヤを電子地図のほかのレイヤと重ね合わせるように表示した後に、前記独立レイヤの表示インターフェースを共有するためのＵＲＬ又はＱＲコードを提供するステップをさらに含むことを特徴とする請求項１〜４のいずれか一項に記載の方法。
【請求項８】
要求目標物に対して提出した地図検索要求を取得する要求取得モジュールと、
前記地図検索要求に応じて、前記要求目標物に対応する少なくとも一つの地図要素を取得する要素取得ユニットと、
空の独立レイヤを作成し、前記独立レイヤに前記地図要素を追加するレイヤ作成モジュールと、
電子地図表示インターフェースにおいて、ユーザに前記独立レイヤを電子地図のほかのレイヤと重ね合わせるように表示するレイヤ表示モジュールと
を備えることを特徴とする地図情報の表示装置。
【請求項９】
前記要求取得モジュールは、具体的には、
ユーザが要求目標物に対応する文字検索語を入力したり、要求目標物のＱＲコードをスキャンしたりすること、又は第三者がアプリケーションプログラム・インターフェースを呼び出すことによってトリガーされた地図検索要求を取得することを特徴とする請求項８に記載の装置。
【請求項１０】
前記レイヤ作成モジュールは、
前記要求目標物に関連する少なくとも一つの関連地図要素を取得する関連要素取得ユニットと、
前記独立レイヤに前記関連地図要素を追加する関連要素追加ユニットと
をさらに備えることを特徴とする請求項８に記載の装置。
【請求項１１】
電子地図のほかのレイヤにおいて前記要求目標物に関連する関連地図要素を区別して表示する区別表示モジュールをさらに備えることを特徴とする請求項８に記載の装置。
【請求項１２】
電子地図表示インターフェースにおいて、ユーザに前記独立レイヤを表示した後に、ほかのレイヤにおける地図要素を低い強度で表示する低強度表示モジュールをさらに備えることを特徴とする請求項８〜１１のいずれか一項に記載の装置。
【請求項１３】
電子地図表示インターフェースにおいて、ユーザに前記独立レイヤを表示した後に、前記要求目標物のプロパティタイプに応じて、電子地図のほかのレイヤの表示スタイルを変更するスタイル変更モジュールをさらに備えることを特徴とする請求項８〜１１のいずれか一項に記載の装置。
【請求項１４】
電子地図表示インターフェースにおいて、ユーザに前記独立レイヤを表示した後に、前記独立レイヤの表示インターフェースを共有するためのＵＲＬ又はＱＲコードを提供する共有モジュールをさらに備えることを特徴とする請求項８〜１１のいずれか一項に記載の装置。
【請求項１５】
一つ又は複数のコンピュータ実行可能命令を含む記憶媒体であって、前記コンピュータ実行可能命令がコンピュータプロセッサにより実行される時に、地図情報の表示方法を実行し、前記方法は、
要求目標物に対して提出した地図検索要求を取得するステップと、
前記地図検索要求に応じて、前記要求目標物に対応する少なくとも一つの地図要素を取得するステップと、
空の独立レイヤを作成し、前記独立レイヤに前記地図要素を追加するステップと、
電子地図表示インターフェースにおいて、ユーザに前記独立レイヤを電子地図のほかのレイヤと重ね合わせるように表示するステップと
を含むことを特徴とする記憶媒体。 
【発明の詳細な説明】
【技術分野】
【０００１】
本願は２０１５年０８月３１日に提出された、出願番号が２０１５１０５４９２４０．１で、出願人が百度オンラインネットワーク技術（北京）有限公司で、発明名称が「地図情報の表示方法及び装置」である中国特許出願に基づく優先権を主張し、当該出願の全文を引用により本願に組み込む。
【０００２】
本発明の実施形態は位置情報サービスの技術分野に関し、特に地図情報の表示方法、装置及び記憶媒体に関する。
【背景技術】
【０００３】
電子地図とは、コンピュータ環境において作成されて使用された、空間情報及びプロパティ情報からなるリアルタイム処理可能なデジタル画像である。紙地図の様々な地理的要素だけでなく、ほかの環境情報及び関連内容も含み、多次元環境情報の特徴を有する。紙地図に比べて、電子地図は、情報が制限されず、任意に追加できる特徴を有する。縮尺、図形形式に制限されることなく、地図要素の記憶や表示がさらに抽象化するだけでなく、オブジェクトの概念で様々な地図要素を示し、さらにユーザの意図に応じて所要の情報をインテリジェントに表示することができる。
【０００４】
従来の電子地図は比較的小さい表示領域内に、ユーザに様々な情報を表示する必要がある。図１は従来技術に係る電子地図の表示インターフェースを示す。当該表示インターフェースにおいて、店舗１１はユーザが実際に検索する必要のある目標物である。しかし、この表示インターフェースにおいて、店舗１１はユーザの検索項目に無関係の情報と混在している。ユーザは、表示インターフェースから前記店舗１１を認識するには、綿密に探さなければならない。つまり、従来の電子地図の表示インターフェースに含まれる情報の種類が多すぎるので、ユーザが認識しにくくなってしまう。
【発明の概要】
【発明が解決しようとする課題】
【０００５】
上記技術的問題に鑑みて、本発明の実施形態は、ユーザが電子地図における要求目標物（request object）を明確に認識することができる地図情報の表示方法、装置及び記憶媒体を提供する。
【課題を解決するための手段】
【０００６】
第１態様によれば、本発明の実施形態は地図情報の表示方法を提供し、この方法は、
ユーザが提出した地図検索要求を取得するステップと、
前記地図検索要求に応じて、前記地図検索要求の要求目標物に関する独立レイヤを作成するステップと、
電子地図表示インターフェースにおいて、ユーザに前記独立レイヤを表示するステップと
を含む。
【０００７】
第２態様によれば、本発明の実施形態は地図情報の表示装置をさらに提供し、この装置は、
ユーザが提出した地図検索要求を取得する要求取得モジュールと、
前記地図検索要求に応じて、前記地図検索要求の要求目標物に関する独立レイヤを作成するレイヤ作成モジュールと、
電子地図表示インターフェースにおいて、ユーザに前記独立レイヤを表示するレイヤ表示モジュールと
を備える。
【０００８】
第３態様によれば、本発明の実施形態は、一つ又は複数のコンピュータ実行可能命令を含む記憶媒体をさらに提供し、前記コンピュータ実行可能命令がコンピュータプロセッサにより実行される時に、地図情報の表示方法を実行し、この方法は、
ユーザが提出した地図検索要求を取得するステップと、
前記地図検索要求に応じて、前記地図検索要求の要求目標物に関する独立レイヤを作成するステップと、
電子地図表示インターフェースにおいて、ユーザに前記独立レイヤを表示するステップと
を含む。
【発明の効果】
【０００９】
本発明の実施形態に係る地図情報の表示方法、装置及び記憶媒体によれば、ユーザが提出した地図検索要求を取得し、前記地図検索要求に応じて、前記地図検索要求の要求目標物に関する独立レイヤを作成し、電子地図表示インターフェースにおいて、ユーザに前記独立レイヤを表示することによって、ユーザが電子地図から要求目標物を明確に認識することを可能にする。
【図面の簡単な説明】
【００１０】
本発明の実施例における技術案をより明確的に説明するために、以下、実施例の記述に使用される添付図面について簡単に紹介し、無論、下記の説明される添付図面は、ただ本発明のいくつかの実施例であり、当業者にとって、創造的労働なしに、これらの添付図面を修正したり、置き換えたりしてもよい。
【００１１】
【図１】従来技術に係る電子地図表示インターフェースの概略図である。
【図２】本発明の第１実施例に係る地図情報の表示方法のフローチャートである。
【図３】本発明の第１実施例に係る電子地図表示インターフェースの概略図である。
【図４】本発明の第２実施例に係る地図情報の表示方法のレイヤを作成するフローチャートである。
【図５】本発明の第２実施例に係る作成したレイヤの概略図である。
【図６】本発明の第３実施例に係る地図情報の表示方法のレイヤを作成するフローチャートである。
【図７】本発明の第３実施例に係る作成したレイヤの概略図である。
【図８】本発明の第４実施例に係る地図情報の表示方法のフローチャートである。
【図９】本発明の第５実施例に係る地図情報の表示方法のフローチャートである。
【図１０】本発明の第６実施例に係る地図情報の表示方法のフローチャートである。
【図１１】本発明の第６実施例に係るスタイルを変更した後の電子地図表示インターフェースの模式図である。
【図１２】本発明の第７実施例に係る地図情報の表示方法のフローチャートである。
【図１３】本発明の第８実施例に係る地図情報の表示装置の構成図である。
【発明を実施するための形態】
【００１２】
以下、図面と実施例を参照しながら、本発明における技術案を明らかで完全に説明する。明らかに、説明される実施例は、ただ本発明の一部の実施例であり、全部の実施例ではなく、ただ本発明の原理を解釈するためのものであり、本発明をこれらの一部の実施例に限定するためのものではない。本発明で開示されている実施例に基づいて、当業者にとっては、創造的労働なしに得られる全ての他の実施例が、本発明で保護される範囲に属する。
【００１３】
第１実施例
本実施例は電子地図の表示方法の技術案を提供する。前記電子地図の表示方法は電子地図の表示装置によって実行される。好ましくは、前記電子地図の表示装置は、通常、位置情報サービスを提供するためのサーバに集積される。勿論、前記電子地図の表示装置はスタンドアロンの電子地図ソフトウェアを実行するためのＰＣ及び／又はワークステーションに集積されてもよい。本発明ではそれを限定しない。
【００１４】
図２に示すように、前記電子地図の表示方法は以下のステップを含む。
【００１５】
Ｓ２１：ユーザが提出した地図検索要求を取得する。
【００１６】
ユーザの各地図検索操作が何れも地図検索要求に応じて行われる。
【００１７】
なお、ユーザが提出した地図検索要求はすべて要求目標物に対する検索要求である。例えば、ユーザの提出した検索語が「天安門」である場合、ユーザの要求目標物は天安門広場、又は天安門タワーである可能性がある。ユーザの提出した検索語が「世紀壇（Ｍｉｌｌｅｎｎｉｕｍ  Ｍｏｎｕｍｅｎｔ）」である場合、ユーザの要求目標物は中華世紀壇である。
【００１８】
好ましくは、ユーザが要求目標物に対して提出した地図検索要求を取得するステップにおいては、ユーザが要求目標物に対応する文字検索語を入力したり、要求目標物のＱＲコードをスキャンしたりすること、又は第三者がアプリケーションプログラム・インターフェースを呼び出すことによってトリガーされた、前記要求目標物に対する地図検索要求を取得するステップを含む。
【００１９】
Ｓ２２：前記地図検索要求に応じて、前記地図検索要求の要求目標物に関する独立レイヤを作成する。
【００２０】
ユーザが電子地図の表示インターフェースにおいて自分の要求目標物をより明確に認識することを可能にするために、本発明では、要求目標物のために独立レイヤを作成する。前記独立レイヤにおいて、前記要求目標物は電子地図におけるほかの地図要素と区別して表示される。それにより、ユーザは前記地図検索要求を提出した後に、返信した電子地図表示インターフェースにおいて所望の要求目標物をより明確に認識することができる。
【００２１】
また、好ましくは、独立レイヤにおいてほかの地図要素と区別して前記要求目標物を表示する以外、前記要求目標物に関連するほかの地図要素を残りの地図要素と区別して前記独立レイヤに表示してもよい。これらほかの前記要求目標物に関連する地図要素は、前記要求目標物付近の食事、娯楽等の公共サービス施設、前記要求目標物に到達する経路等を含む。
【００２２】
Ｓ２３：電子地図表示インターフェースにおいて、ユーザに前記独立レイヤを表示する。
【００２３】
独立レイヤの作成が完了した後に、電子地図アプリケーションの表示インターフェースにおいてユーザに前記独立レイヤを表示する。具体的には、前記独立レイヤと電子地図のほかのレイヤとを重ね合わせてから、ユーザに表示するようにしてもよい。
【００２４】
図３は独立レイヤを利用した後の電子地図の表示インターフェースを示す。図３に示すように、要求目標物のために独立レイヤを追加した後に、前記要求目標物は電子地図の表示インターフェースにおいてほかの地図要素と区別して表示される。好ましくは、電子地図の表示インターフェースにおいて独立アイコン３１で前記要求目標物を表示する。それにより、ユーザは電子地図の表示インターフェースにおいて前記要求目標物を明確に認識することができる。
【００２５】
なお、電子地図の表示インターフェースにおいて、前記独立レイヤはユーザの入力命令に応じて起動されたり解除されたりすることができる。起動後に、独立レイヤの存在によって、ユーザは表示インターフェースにおいて自分の提出した地図検索要求の要求目標物をより直接的かつ明確に認識することができる。
【００２６】
本実施例によれば、ユーザが提出した地図検索要求を取得し、前記地図検索要求に応じて、前記地図検索要求の要求目標物に関する独立レイヤを作成し、電子地図表示インターフェースにおいて、ユーザに前記独立レイヤを表示することにより、ユーザは電子地図から要求目標物を明確に認識することを可能にする。
【００２７】
第２実施例
本実施例は本発明の第１実施例をもとに、さらに電子地図の表示方法のレイヤ作成の技術案を提供する。当該技術案では、前記地図検索要求に応じて、前記要求目標物に関する独立レイヤを作成するステップにおいては、前記要求目標物に対応する少なくとも一つの地図要素を取得するステップと、空の独立レイヤを作成するステップと、前記独立レイヤに前記地図要素を追加するステップとを含む。
【００２８】
図４に示すように、前記地図検索要求に応じて、前記要求目標物に関する独立レイヤを作成するステップにおいては、以下のステップを含む。
【００２９】
Ｓ４１：前記要求目標物に対応する少なくとも一つの地図要素を取得する。
【００３０】
前記要求目標物に対応する地図要素を取得する手順は、一般的には、地図要素の名称とユーザの提出した地図検索要求中の検索語をマッチングすることである。例えば、ユーザの提出した地図検索要求中の検索語が「西四」である場合、名称に「西四」を含む地図要素を、前記要求目標物に対応する少なくとも一つの地図要素として取得することになる。
【００３１】
具体的には、前記対応した地図要素を取得することは、この地図要素の基本プロパティ、例えば、この地図要素の具体的な地理的位置、プロパティタイプ等を取得することである。
【００３２】
Ｓ４２：空の独立レイヤを作成する。
【００３３】
前記地図要素に独立レイヤを追加するには、まず前記地図要素に一つの空の独立レイヤを作成する。空とは、作成した独立レイヤには点、線、面等の地図要素が一切含まれないことを意味する。
【００３４】
Ｓ４３：前記独立レイヤに前記地図要素を追加する。
【００３５】
具体的には、前記地図要素の地理的位置に応じて前記独立レイヤに前記地図要素を追加してもよい。さらに、前記地図要素のプロパティタイプ等のほかのプロパティに応じて前記地図要素に対応する解説文を追加してもよい。
【００３６】
図５は本実施例に係る方法で作成された独立レイヤを示す。図５に示すように、前記独立レイヤにおいて、ほかのレイヤの地図要素と区別して要求目標物を表示する。より具体的には、前記独立レイヤには、ほかのレイヤの地図要素と異なるアイコン５１で前記要求目標物を表示する。
【００３７】
本実施例によれば、前記要求目標物に対応する少なくとも一つの地図要素を取得し、空の独立レイヤを作成し、前記独立レイヤに前記地図要素を追加することにより、要求目標物に対する独立レイヤを作成する。
【００３８】
第３実施例
本実施例は本発明の第２実施例をもとに、さらに電子地図の表示方法のレイヤ作成の技術案を提供する。当該技術案では、前記独立レイヤに前記地図要素を追加した後に、前記地図検索要求に応じて、前記要求目標物に関する独立レイヤを作成するステップにおいては、さらに、前記要求目標物に関連する少なくとも一つの関連地図要素を取得するステップと、前記独立レイヤに前記関連地図要素を追加するステップとを含む。
【００３９】
図６に示すように、前記地図検索要求に応じて、前記要求目標物に関する独立レイヤを作成するステップにおいては、以下のステップを含む。
【００４０】
Ｓ６１：前記要求目標物に対応する少なくとも一つの地図要素を取得する。
【００４１】
Ｓ６２：空の独立レイヤを作成する。
【００４２】
Ｓ６３：前記独立レイヤに前記地図要素を追加する。
【００４３】
Ｓ６４：前記要求目標物に関連する少なくとも一つの関連地図要素を取得する。
【００４４】
なお、電子地図の表示インターフェースは、前記要求目標物に関連するいくつかの地図要素をさらに含む。これらの地図要素は前記要求目標物の周辺の、ユーザが興味のあるサービス施設であってもよく、前記要求目標物に至る経路軌跡であってもよい。例えば、ユーザがエレクトロニックスポーツに興味深いである場合、前記要求目標物に関連する地図要素は前記要求目標物の周辺にあるゲームセンタを含んでもよい。
【００４５】
また、前記要求目標物に関連する地図要素は関連地図要素と呼称される。
【００４６】
要求目標物の周辺にある、ユーザが興味のあるサービス施設のような関連地図要素については、要求目標物との距離、及び関連地図要素自体のプロパティタイプに応じて取得されてもよい。前記要求目標物に至る経路軌跡については、経路計画により取得されてもよい。
【００４７】
Ｓ６５：前記独立レイヤに前記関連地図要素を追加する。
【００４８】
具体的には、上記追加操作は前記関連地図要素の具体的な地理的位置に応じて行われる。
【００４９】
図７は本実施例に係る方法で作成された独立レイヤを示す。図７に示すように、前記独立レイヤにおいて特殊アイコン７１で表示される要求目標物を表示する以外、前記要求目標物に至る一本の経路７２も表示される。
【００５０】
本実施例によれば、前記独立レイヤに前記地図要素を追加した後に、前記要求目標物に関連する少なくとも一つの関連地図要素を取得し、前記独立レイヤに前記関連地図要素を追加することにより、電子地図の表示インターフェースにおいて、要求目標物を他の地図要素と区別して表示するだけでなく、前記要求目標物に関連する地図要素をほかの地図要素と区別して表示することで、ユーザが電子地図に表示される要素を認識することをさらに容易にする。
【００５１】
第４実施例
本実施例は本発明の第２実施例をもとに、さらに電子地図の表示方法の技術案を提供する。当該技術案では、前記電子地図の表示方法は、電子地図のほかのレイヤにおいて前記要求目標物に関連する関連地図要素を区別して表示するステップをさらに含む。
【００５２】
図８に示すように、前記電子地図の表示方法は以下を含む。
【００５３】
Ｓ８１：ユーザが提出した地図検索要求を取得する。
【００５４】
Ｓ８２：前記地図検索要求に応じて、前記地図検索要求の要求目標物に関する独立レイヤを作成する。
【００５５】
Ｓ８３：電子地図表示インターフェースにおいて、ユーザに前記独立レイヤを表示する。
【００５６】
Ｓ８４：電子地図のほかのレイヤにおいて前記要求目標物に関連する関連地図要素を区別して表示する。
【００５７】
本発明の第３実施例と異なり、本実施例では、関連地図要素を前記独立レイヤに追加するのではなく、前記関連地図要素自体の所属レイヤに、前記関連地図要素の表示モード（例えばハイライト表示）を直接変更することにより、前記関連地図要素を区別して表示する目的を実現する。
【００５８】
具体的には、前記関連地図要素の表示プロパティを変更することにより、前記関連地図要素の表示モードを変更することができる。例えば、前記関連地図要素の表示色、線の属性、又は代表画像を変更することによって、前記関連地図要素の表示モードを変更する。
【００５９】
本実施例によれば、電子地図表示インターフェースにおいて、ユーザに前記独立レイヤを表示した後に、電子地図のほかのレイヤにおいて前記要求目標物に関連する関連地図要素を区別して表示することにより、電子地図表示インターフェースにおける関連地図要素の区別表示を実現するだけでなく、操作が簡単で、演算量が小さくなる。
【００６０】
第５実施例
本実施例は本発明の上記実施例をもとに、電子地図の表示方法の技術案をさらに提供する。当該技術案では、前記電子地図の表示方法は、ほかのレイヤにおける地図要素を低い強度で表示するステップをさらに含む。
【００６１】
図９に示すように、前記電子地図の表示方法は以下のステップを含む。
【００６２】
Ｓ９１：ユーザが提出した地図検索要求を取得する。
【００６３】
Ｓ９２：前記地図検索要求に応じて、前記地図検索要求の要求目標物に関する独立レイヤを作成する。
【００６４】
Ｓ９３：電子地図表示インターフェースにおいて、ユーザに前記独立レイヤを表示する。
【００６５】
Ｓ９４：ほかのレイヤにおける地図要素を低い強度で表示する。
【００６６】
前記ほかの地図要素を低い強度で表示することは、電子地図の表示インターフェースにおいてほかの地図要素の情報を少なく表示することである。例えば、前記ほかの地図要素を表示しなかったり、解説文を省略して前記ほかの地図要素のアイコンのみを表示したりする。
【００６７】
また、要求目標物をほかの地図要素と異なる表示縮尺閾値に設定することにより、前記ほかの地図要素を低い強度で表示してもよい。例えば、電子地図の表示縮尺が１：１００の時から、前記要求目標物の表示を開始し、つまり前記要求目標物の表示縮尺閾値を１：１００とすることに対して、前記ほかの地図要素の表示縮尺閾値を１：１０とし、つまり電子地図の表示縮尺が１：１０になってからほかの地図要素を表示する。
【００６８】
要求目標物とほかの地図要素の表示縮尺閾値の相違によって、地図の表示縮尺が２つの異なる表示縮尺閾値の間である時に、電子地図の表示インターフェースにおいてほかの地図要素が表示されず、要求目標物のみが表示されており、それによりほかの地図要素の低強度表示を実現する。
【００６９】
本実施例によれば、電子地図表示インターフェースにおいて、ユーザに前記独立レイヤを表示した後に、ほかのレイヤにおける地図要素を低い強度で表示することにより、電子地図の表示インターフェースにおいてユーザの要求目標物を強調し、ユーザによる要求目標物への認識をさらに容易にする。
【００７０】
第６実施例
本実施例は本発明の上記実施例をもとに、さらに電子地図の表示方法の技術案を提供する。当該技術案では、前記電子地図の表示方法は、前記要求目標物のプロパティタイプに応じて、電子地図のほかのレイヤの表示スタイルを変更するステップをさらに含む。
【００７１】
図１０に示すように、前記電子地図の表示方法は、以下のステップを含む。
【００７２】
Ｓ１０１：ユーザが提出した地図検索要求を取得する。
【００７３】
Ｓ１０２：前記地図検索要求に応じて、前記地図検索要求の要求目標物に関する独立レイヤを作成する。
【００７４】
Ｓ１０３：電子地図表示インターフェースにおいて、ユーザに前記独立レイヤを表示する。
【００７５】
Ｓ１０４：前記要求目標物のプロパティタイプに応じて、電子地図のほかのレイヤの表示スタイルを変更する。
【００７６】
異なる要求目標物は異なるプロパティタイプに対応する。例えば、要求目標物のプロパティタイプをオフィス場所とレジャー場所とに分ける。レジャー場所をさらに文化レジャー場所とスポーツレジャー場所とに分ける。梅蘭芳大劇場は文化レジャー場所に分類されてもよく、鳥の巣（北京国家体育場）はスポーツレジャー場所に分類されてもよい。
【００７７】
本実施例では、要求目標物のプロパティタイプに応じて、ほかのレイヤの表示スタイルを変更することができる。前記表示スタイルはレイヤの背景色、線の属性、及び建物アイコンによって表現されてもよい。例えば、要求目標物が文化レジャー場所である場合、ほかのレイヤの背景色を暖色系に調整してもよく、要求目標物がスポーツレジャー場所である場合、ほかのレイヤの背景色を寒色系に調整してもよい。
【００７８】
それにより、ユーザの要求目標物によって、電子地図が異なる表示スタイルを有し、電子地図に対するユーザの興味を引き、ユーザ体験を向上させる。
【００７９】
図１１はスタイルを変更した後の電子地図表示インターフェースを示す。図１１に示すように、電子地図表示インターフェースにおいて、様々な建物は従来の電子地図と異なる表示スタイルで表示されており、ユーザに新鮮さを与え、ユーザの興味を引く。
【００８０】
本実施例によれば、電子地図表示インターフェースにおいて、ユーザに前記独立レイヤを表示した後に、前記要求目標物のプロパティタイプに応じて、電子地図のほかのレイヤの表示スタイルを変更することにより、電子地図の表示スタイルに要求目標物の異なるプロパティタイプによって変化させ、電子地図に対するユーザの興味を引き、ユーザ体験を向上させる。
【００８１】
第７実施例
本実施例は本発明の上記実施例をもとに、さらに電子地図の表示方法の技術案を提供する。当該技術案では、前記電子地図の表示方法は、前記独立レイヤの表示インターフェースを共有するためのＵＲＬ又はＱＲコードを提供するステップをさらに含む。
【００８２】
図１２に示すように、前記電子地図の表示方法は、以下のステップを含む。
【００８３】
Ｓ１２１：ユーザが提出した地図検索要求を取得する。
【００８４】
Ｓ１２２：前記地図検索要求に応じて、前記地図検索要求の要求目標物に関する独立レイヤを作成する。
【００８５】
Ｓ１２３：電子地図表示インターフェースにおいて、ユーザに前記独立レイヤを表示する。
【００８６】
Ｓ１２４：前記独立レイヤの表示インターフェースを共有するためのＵＲＬ又はＱＲコードを提供する。
【００８７】
本実施例では、生成した独立レイヤはほかのレイヤとともに表示することができるだけでなく、自動的に生成したＵＲＬ又はＱＲコードによって異なるユーザの間で共有することができる。
【００８８】
好ましくは、前記独立レイヤにおける要求目標物の地理座標、前記要求目標物の表示アイコンの番号等の独立レイヤの表示パラメータは、自動的に生成したＵＲＬにおけるパラメータ、又は生成したＱＲコードの符号化されたパラメータとして、ＵＲＬ又はＱＲコードの生成に用いられてもよい。
【００８９】
ＵＲＬの生成を例として、前記独立レイヤにおいて、要求目標物の地理座標が（１１６．４１６６７，３９．９１６６７）、対応した表示画像の番号がＸＦＳ３２６０９である場合、生成したＵＲＬはｈｔｔｐ：／／２０２．１０６．０．２０：８０８０／ｌｏｎｇ＝１１６．４１６６７＆ｌａｔ＝３９．９１６６７＆ｔｙｐｅ＝ＸＦＳ３２６０９となってもよい。
【００９０】
本実施例によれば、電子地図表示インターフェースにおいて、ユーザに前記独立レイヤを表示した後に、前記独立レイヤの表示インターフェースを共有するためのＵＲＬ又はＱＲコードを提供することにより、独立レイヤが電子地図に表示することができるだけでなく、異なるユーザの間で共有することも可能にし、ユーザが電子地図を使用することを容易にする。
【００９１】
第８実施例
本実施例は電子地図の表示装置の技術案を提供する。図１３に示すように、当該技術案では、前記電子地図の表示装置は、要求取得モジュール１３１、レイヤ作成モジュール１３２及びレイヤ表示モジュール１３３を備える。
【００９２】
前記要求取得モジュール１３１は、要求目標物に対して提出した地図検索要求を取得する。
【００９３】
前記レイヤ作成モジュール１３２は、前記地図検索要求に応じて、要求目標物に関する独立レイヤを作成する。
【００９４】
前記レイヤ表示モジュール１３３は、電子地図表示インターフェースにおいて、ユーザに前記独立レイヤを表示する。
【００９５】
オプションとして、前記要求取得モジュール１３１は、具体的に、ユーザが要求目標物に対応する文字検索語を入力したり、要求目標物のＱＲコードをスキャンしたりすること、又は第三者がアプリケーションプログラム・インターフェースを呼び出すことによってトリガーされた、前記要求目標物に対する地図検索要求を取得するようにしてもよい。
【００９６】
オプションとして、前記レイヤ作成モジュール１３１は、要素取得ユニット、作成ユニット及び要素追加ユニットを備えてもよい。
【００９７】
前記要素取得ユニットは、前記要求目標物に対応する少なくとも一つの地図要素を取得する。
【００９８】
前記作成ユニットは、空の独立レイヤを作成する。
【００９９】
前記要素追加ユニットは、前記独立レイヤに前記地図要素を追加する。
【０１００】
オプションとして、前記レイヤ作成モジュール１３１はさらに、関連要素取得ユニット及び関連要素追加ユニットを備えてもよい。
【０１０１】
前記関連要素取得ユニットは、前記要求目標物に関連する少なくとも一つの関連地図要素を取得する。
【０１０２】
前記関連要素追加ユニットは、前記独立レイヤに前記関連地図要素を追加する。
【０１０３】
オプションとして、前記電子地図の表示装置はさらに、区別表示モジュール１３４を備えてもよい。
【０１０４】
前記区別表示モジュール１３４は、電子地図のほかのレイヤにおいて前記要求目標物に関連する関連地図要素を区別して表示する。
【０１０５】
オプションとして、前記電子地図の表示装置はさらに、低強度表示モジュール１３５を備えてもよい。
【０１０６】
前記低強度表示モジュール１３５は、電子地図表示インターフェースにおいて、ユーザに前記独立レイヤを表示した後に、ほかのレイヤにおける地図要素を低い強度で表示する。
【０１０７】
オプションとして、前記電子地図の表示装置はさらに、スタイル変更モジュール１３６を備えてもよい。
【０１０８】
前記スタイル変更モジュール１３６は、電子地図表示インターフェースにおいて、ユーザに前記独立レイヤを表示した後に、前記要求目標物のプロパティタイプに応じて、電子地図のほかのレイヤの表示スタイルを変更する。
【０１０９】
オプションとして、前記電子地図の表示装置はさらに、共有モジュール１３７を備えてもよい。
【０１１０】
前記共有モジュール１３７は、電子地図表示インターフェースにおいて、ユーザに前記独立レイヤを表示した後に、前記独立レイヤの表示インターフェースを共有するためのＵＲＬ又はＱＲコードを提供する。
【０１１１】
上記地図情報の表示装置は、本発明の実施例のいずれかに係る地図情報の表示方法を実行することが、実行する方法に対応する機能モジュールと有益な効果を有する。
【０１１２】
当業者であれば、上記本発明の各モジュール又は各ステップは汎用型コンピューティング装置によって実現されることができ、単一コンピューティング装置に集積してもよく、複数のコンピューティング装置から構成されるネットワークに分布してもよい。オプションとして、コンピュータ装置が実行可能なプログラムコードによって実現されることができ、それらを記憶装置に記憶してコンピューティング装置で実行してもよく、それぞれを集積回路モジュールとして作製してもよく、そのうちの複数のモジュール又はステップを単一集積回路モジュールとして作製してもよいと理解すべきである。従って、本発明は特定のハードウェアとソフトウェアの組合せに限定されない。
【０１１３】
第９実施例
コンピュータ実行可能命令を含む一つ又は複数の記憶媒体であって、前記コンピュータ実行可能命令がコンピュータプロセッサにより実行される時に、地図情報の表示方法を実行し、前記方法は、
要求目標物に対して提出した地図検索要求を取得するステップと、
前記地図検索要求に応じて、前記要求目標物に関する独立レイヤを作成するステップと、
電子地図表示インターフェースにおいて、ユーザに前記独立レイヤを表示するステップと
を含むことを特徴とする。
【０１１４】
上記記憶媒体は前記方法を実行する時に、ユーザが要求目標物に対して提出した地図検索要求を取得するステップにおいては、
ユーザが要求目標物に対応する文字検索語を入力したり、要求目標物のＱＲコードをスキャンしたりすること、又は第三者がアプリケーションプログラム・インターフェースを呼び出すことによってトリガーされた、前記要求目標物に対する地図検索要求を取得するステップを含む。
【０１１５】
上記記憶媒体は前記方法を実行する時に、前記地図検索要求に応じて、前記要求目標物に関する独立レイヤを作成するステップにおいては、
前記要求目標物に対応する少なくとも一つの地図要素を取得するステップと、
空の独立レイヤを作成するステップと、
前記独立レイヤに前記地図要素を追加するステップと
を含む。
【０１１６】
上記記憶媒体は前記方法を実行する時に、前記独立レイヤに前記地図要素を追加した後に、前記地図検索要求に応じて、前記要求目標物に関する地理レイヤを作成するステップにおいては、
前記要求目標物に関連する少なくとも一つの関連地図要素を取得するステップと、
前記独立レイヤに前記関連地図要素を追加するステップと、をさらに含む。
【０１１７】
上記記憶媒体は前記方法を実行する時に、前記方法は、
電子地図のほかのレイヤにおいて前記要求目標物に関連する関連地図要素を区別して表示するステップをさらに含む。
【０１１８】
上記記憶媒体は前記方法を実行する時に、前記方法は、
電子地図表示インターフェースにおいて、ユーザに前記独立レイヤを表示した後に、ほかのレイヤにおける地図要素を低い強度で表示するステップをさらに含む。
【０１１９】
上記記憶媒体は前記方法を実行する時に、前記方法は、
電子地図表示インターフェースにおいて、ユーザに前記独立レイヤを表示した後に、前記要求目標物のプロパティタイプに応じて、電子地図のほかのレイヤの表示スタイルを変更するステップをさらに含む。
【０１２０】
上記記憶媒体は前記方法を実行する時に、前記方法は、
電子地図表示インターフェースにおいて、ユーザに前記独立レイヤを表示した後に、前記独立レイヤの表示インターフェースを共有するためのＵＲＬ又はＱＲコードを提供するステップをさらに含む。
【０１２１】
上記実施形態の説明によれば、当業者は、本発明がソフトウェア、および必要な汎用ハードウェアにより実現されてもよく、勿論ハードウェアにより実現されてもよいが、多くの場合、前者が好ましい実施形態であると理解すべきである。このような理解に基づいて、本発明の技術案は、実質的な部分、または従来技術を改良する部分をソフトウェア製品の形態で実現してもよい。当該コンピュータソフトウェア製品は、コンピュータ可読記憶媒体、例えばコンピュータのフロッピーディスク、光ディスク、読み出し専用メモリ（Ｒｅａｄ−Ｏｎｌｙ  Ｍｅｍｏｒ、ＲＯＭ）、ランダムアクセスメモリ（Ｒａｎｄｏｍ  Ａｃｃｅｓｓ  Ｍｅｍｏｒｙ、ＲＡＭ）などに記憶されてもよく、且つコンピュータ機器（パソコン、サーバ、またはネットワーク機器などでありうる）に本発明の各実施例に係る方法を実行させる複数の命令を含む。
【０１２２】
注意すべきことは、上記地図情報の表示装置の実施例中に含まれる各モジュールとサブモジュールが、機能ロジックのみに応じて区画されるが、上記区画に限定されない。対応する機能を実現することができればよい。また、各機能ユニットの具体的な名称は、単に区別を容易にするためのものであり、本発明の保護範囲を限定するものではない。
【０１２３】
以上で説明したのは、本発明の具体的な実施形態だけであり、本発明の保護範囲は、これらに限定されるものではない。いかなる当業者が本発明に開示された技術範囲内に容易に想到できる変更または置換の全ては、本発明の保護範囲内に入るべきである。従って、本発明の保護範囲は、添付される特許請求の範囲を基準としているものである。
なお、本願の出願当初の開示事項を維持するために、本願の出願当初の請求項１〜１７の記載内容を以下に追加する。
（請求項１）
要求目標物に対して提出した地図検索要求を取得するステップと、
前記地図検索要求に応じて、前記要求目標物に関する独立レイヤを作成するステップと、
電子地図表示インターフェースにおいて、ユーザに前記独立レイヤを表示するステップと
を含むことを特徴とする地図情報の表示方法。
（請求項２）
ユーザが要求目標物に対して提出した地図検索要求を取得するステップにおいては、
ユーザが要求目標物に対応する文字検索語を入力したり、要求目標物のＱＲコードをスキャンしたりすること、又は第三者がアプリケーションプログラム・インターフェースを呼び出すことによってトリガーされた、前記要求目標物に対する地図検索要求を取得するステップを含むことを特徴とする請求項１に記載の方法。
（請求項３）
前記地図検索要求に応じて、前記要求目標物に関する独立レイヤを作成するステップにおいては、
前記要求目標物に対応する少なくとも一つの地図要素を取得するステップと、
空の独立レイヤを作成するステップと、
前記独立レイヤに前記地図要素を追加するステップと
を含むことを特徴とする請求項１に記載の方法。
（請求項４）
前記独立レイヤに前記地図要素を追加した後に、前記地図検索要求に応じて、前記要求目標物に関する独立レイヤを作成するステップにおいては、さらに
前記要求目標物に関連する少なくとも一つの関連地図要素を取得するステップと、
前記独立レイヤに前記関連地図要素を追加するステップと
を含むことを特徴とする請求項３に記載の方法。
（請求項５）
電子地図のほかのレイヤにおいて前記要求目標物に関連する関連地図要素を区別して表示するステップをさらに含むことを特徴とする請求項３に記載の方法。
（請求項６）
電子地図表示インターフェースにおいて、ユーザに前記独立レイヤを表示した後に、ほかのレイヤにおける地図要素を低い強度で表示するステップをさらに含むことを特徴とする請求項１〜５のいずれか一項に記載の方法。
（請求項７）
電子地図表示インターフェースにおいて、ユーザに前記独立レイヤを表示した後に、前記要求目標物のプロパティタイプに応じて、電子地図のほかのレイヤの表示スタイルを変更するステップをさらに含むことを特徴とする請求項１〜５のいずれか一項に記載の方法。
（請求項８）
電子地図表示インターフェースにおいて、ユーザに前記独立レイヤを表示した後に、前記独立レイヤの表示インターフェースを共有するためのＵＲＬ又はＱＲコードを提供するステップをさらに含むことを特徴とする請求項１〜５のいずれか一項に記載の方法。
（請求項９）
要求目標物に対して提出した地図検索要求を取得する要求取得モジュールと、
前記地図検索要求に応じて、要求目標物に関する独立レイヤを作成するレイヤ作成モジュールと、
電子地図表示インターフェースにおいて、ユーザに前記独立レイヤを表示するレイヤ表示モジュールと
を備えることを特徴とする地図情報の表示装置。
（請求項１０）
前記要求取得モジュールは、具体的には、
ユーザが要求目標物に対応する文字検索語を入力したり、要求目標物のＱＲコードをスキャンしたりすること、又は第三者がアプリケーションプログラム・インターフェースを呼び出すことによってトリガーされた地図検索要求を取得することを特徴とする請求項９に記載の装置。
（請求項１１）
前記レイヤ作成モジュールは、
前記要求目標物に対応する少なくとも一つの地図要素を取得する要素取得ユニットと、
空の独立レイヤを作成する作成ユニットと、
前記独立レイヤに前記地図要素を追加する要素追加ユニットと
を備えることを特徴とする請求項９に記載の装置。
（請求項１２）
前記レイヤ作成モジュールは、
前記要求目標物に関連する少なくとも一つの関連地図要素を取得する関連要素取得ユニットと、
前記独立レイヤに前記関連地図要素を追加する関連要素追加ユニットと
をさらに備えることを特徴とする請求項１１に記載の装置。
（請求項１３）
電子地図のほかのレイヤにおいて前記要求目標物に関連する関連地図要素を区別して表示する区別表示モジュールをさらに備えることを特徴とする請求項１１に記載の装置。
（請求項１４）
電子地図表示インターフェースにおいて、ユーザに前記独立レイヤを表示した後に、ほかのレイヤにおける地図要素を低い強度で表示する低強度表示モジュールをさらに備えることを特徴とする請求項９〜１３のいずれか一項に記載の装置。
（請求項１５）
電子地図表示インターフェースにおいて、ユーザに前記独立レイヤを表示した後に、前記要求目標物のプロパティタイプに応じて、電子地図のほかのレイヤの表示スタイルを変更するスタイル変更モジュールをさらに備えることを特徴とする請求項９〜１３のいずれか一項に記載の装置。
（請求項１６）
電子地図表示インターフェースにおいて、ユーザに前記独立レイヤを表示した後に、前記独立レイヤの表示インターフェースを共有するためのＵＲＬ又はＱＲコードを提供する共有モジュールをさらに備えることを特徴とする請求項９〜１３のいずれか一項に記載の装置。
（請求項１７）
一つ又は複数のコンピュータ実行可能命令を含む記憶媒体であって、前記コンピュータ実行可能命令がコンピュータプロセッサにより実行される時に、地図情報の表示方法を実行し、前記方法は、
要求目標物に対して提出した地図検索要求を取得するステップと、
前記地図検索要求に応じて、前記要求目標物に関する独立レイヤを作成するステップと、
電子地図表示インターフェースにおいて、ユーザに前記独立レイヤを表示するステップと
を含むことを特徴とする記憶媒体。
【図１】
0006623299.tif 000002
【図２】
0006623299.tif 000003
【図３】
0006623299.tif 000004
【図４】
0006623299.tif 000005
【図５】
0006623299.tif 000006
【図６】
0006623299.tif 000007
【図７】
0006623299.tif 000008
【図８】
0006623299.tif 000009
【図９】
0006623299.tif 000010
【図１０】
0006623299.tif 000011
【図１１】
0006623299.tif 000012
【図１２】
0006623299.tif 000013
【図１３】
0006623299.tif 000014